(57)【要約】【課題】  収納位置と使用位置との間で移動可能で、比較的大重量の負荷を支持することが可能で、露出した連結部や支持構造を必要としない、シートアセンブリと共に使用されるトレイアセンブリを提供する。【解決手段】  折り畳み式トレイアセンブリは、支持部材とトレイ部材とを含む。トレイ部材は、支持部材によって回動可能に支持され、支持部材に対して、使用位置と収納位置との間で移動可能である。折り畳み式トレイアセンブリは、さらに、使用位置または収納位置の一方で選択的にトレイ部材を支持部材に固定するために操作することが可能な、ロック機構を含む。ロック機構は、トレイアセンブリ内に収容されており、所有者から見えず、触れられず、ハンドルまたはレバーによって遠隔駆動される。支持部材、トレイ部材およびロック機構は、一体形成された固定具を用いて組み立てられ、個別の機械的固定具を必要としない。【選択図】      図１
0003130141.tif 000002
【実用新案登録請求の範囲】
【請求項１】
少なくとも１つのタブを有する第１のトレイ部材と、
少なくとも１つのスロットを有する第２のトレイ部材であって、少なくとも１つのスロットが少なくとも１つのタブを操作可能に係合支持して、第１のトレイ部材を当該第２のトレイ部材に固定する第２のトレイ部材と、
トレイアセンブリ内に収容されて、第１のトレイ部材と第２のトレイ部材との間に位置するロック機構と
を含むことを特徴とする折り畳み式トレイアセンブリ。
【請求項２】
トレイアセンブリ内に収容されて、第１のトレイ部材と第２のトレイ部材との間に位置し、ロック機構をロック状態とロック解除状態との間で切換えるために操作可能な駆動機構をさらに含む、ことを特徴とする請求項１記載の折り畳み式トレイアセンブリ。
【請求項３】
少なくとも１つのタブは、第１のトレイ部材から形成される、ことを特徴とする請求項１記載の折り畳み式トレイアセンブリ。
【請求項４】
少なくとも１つのタブは、少なくとも１つのスロットと係合する突起を含む、ことを特徴とする請求項１記載の折り畳み式トレイアセンブリ。
【請求項５】
トレイアセンブリを使用位置と収納位置との間で回転可能に支持する支持ブラケットをさらに含む、ことを特徴とする請求項１記載の折り畳み式トレイアセンブリ。
【請求項６】
支持ブラケットに回転可能に取り付けられ、一連の受け部を含む補強ブラケットをさらに含む、ことを特徴とする請求項５記載の折り畳み式トレイアセンブリ。
【請求項７】
第１のトレイ部材は、補強ブラケットの受け部によって支持されて、第１のトレイ部材を補強ブラケットに取り付ける一連のポストを含む、ことを特徴とする請求項６記載の折り畳み式トレイアセンブリ。
【請求項８】
支持ブラケットは、第１のトレイ部材のタブを選択的に支持して、当該折り畳み式トレイアセンブリを収納位置に固定するロックポストを含む、ことを特徴とする請求項５記載の折り畳み式トレイアセンブリ。
【考案の詳細な説明】
【技術分野】
【０００１】
本開示はトレイアセンブリに関し、より具体的には、シートアセンブリに組み込み得る折り畳み式トレイアセンブリに関する。
【背景技術】
【０００２】
座席の用途においては、収容装置または作業面として所有者が使用するために、トレイを備えることが望ましい。さらに、トレイは、使用されないときは、所有者がシートアセンブリの周囲の空間を最大にできるようにするために、たとえば折り畳み式にして、収納可能とすることが望ましい。さらにまた、トレイは、外付けの補強または支持を必要とすることなく、比較的大きな負荷を支持し得ることが望ましい。通常、折り畳み式トレイアセンブリは、シートアセンブリの側部に搭載され、使用位置と収納位置との間で回動して、使用位置にあるときに、概ね水平なトレイを所有者に提供する。
【０００３】
従来のトレイアセンブリは、一般にシートアセンブリの側部に搭載され、シートの使用時に所有者が使用する飲み物またはラップトップコンピュータなどの物品を支持する表面を提供する。トレイ表面は、座部または背もたれ部のいずれかに固定して搭載された不動のブラケットによって、支持される。いずれの場合も、トレイは、通常、ヒンジを介して支持ブラケットに連結され、支持ブラケットに対して回動可能である。従来のトレイアセンブリは、収納位置と使用位置との間で移動可能である。収納位置においては、トレイは折り畳まれて、トレイの上面が支持ブラケットと平行になる。トレイが使用位置にあるとき、トレイ表面は、所有者が水平な表面を使用できるようにするために、支持ブラケットに対して概ね垂直になる。
【０００４】
使用位置にあるときのトレイの比較的水平な表面を保つために、従来のトレイアセンブリには、支持ブラケットに対するトレイの概ね垂直な関係を維持するロック機構が設けられている。通常、ロック機構は、外付けの支持アームと、連結部材と、数個の機械的固定具（すなわち、ねじ、ナット、ボルト、クリップなど）とを含む。支持アームは、トレイに付加的支持を提供し、一方、連結部材は、トレイが収納位置にあるときに、支持アームを折り畳むことを可能にする。固定具は、支持アームと連結部材だけでなく、トレイの個々の部品をトレイに取り付けるために使用される。このような構成は、特許文献１（Ｙｏｓｈｉｄａ）に開示されている。
【０００５】
【特許文献１】米国特許第５５５８６９７号明細書
【考案の開示】
【考案が解決しようとする課題】
【０００６】
シートアセンブリと組み合わせて使用される従来のトレイアセンブリは、収納位置と使用位置との間で可動のトレイを適切に提供するが、従来のトレイアセンブリには、適切にトレイの表面を支持し、また、支持ブラケットまわりに回動させるために、露出した連結部材が必要である、という不都合がある。露出した連結部材は、収納位置と使用位置との間でトレイアセンブリを動かす際に害をなすことがあり、所有者がうっかり指を挟んだり、使用中に衣服の一部を引っかけたりする。さらに、従来のトレイアセンブリには、トレイアセンブリの個々の部品を結合するために、ねじおよびボルトなどの個別の機械的固定具が必要である、という不都合もある。個別の固定具は、トレイアセンブリの複雑さを増し、また、一般に、製造コストを上昇させる。
【０００７】
したがって、業界では、シートアセンブリと共に使用されるトレイアセンブリであって、収納位置と使用位置との間で移動可能で、比較的大重量の負荷を支持することが可能で、その一方、露出した連結部または支持構造を必要としないものが望まれている。さらに、業界では、トレイ内に格納されたロック機構を有するトレイアセンブリが望まれている。さらにまた、個別の固定具が、完全には排除されないにしても、最少ですむトレイアセンブリも望まれている。
【０００８】
これまでの説明は、単に本開示に関連する背景技術情報を提供するものに過ぎず、従来技術を構成するものではない。
【課題を解決するための手段】
【０００９】
本考案は、
少なくとも１つのタブを有する第１のトレイ部材と、
少なくとも１つのスロットを有する第２のトレイ部材であって、少なくとも１つのスロットが少なくとも１つのタブを操作可能に係合支持して、第１のトレイ部材を当該第２のトレイ部材に固定する第２のトレイ部材と、
トレイアセンブリ内に収容されて、第１のトレイ部材と第２のトレイ部材との間に位置するロック機構と
を含むことを特徴とする折り畳み式トレイアセンブリである。
【００１０】
本考案はまた、トレイアセンブリ内に収容されて、第１のトレイ部材と第２のトレイ部材との間に位置し、ロック機構をロック状態とロック解除状態との間で切換えるために操作可能な駆動機構をさらに含む、ことを特徴とする。
【００１１】
本考案はまた、少なくとも１つのタブは、第１のトレイ部材から形成される、ことを特徴とする。
【００１２】
本考案はまた、少なくとも１つのタブは、少なくとも１つのスロットと係合する突起を含む、ことを特徴とする。
【００１３】
本考案はまた、トレイアセンブリを使用位置と収納位置との間で回転可能に支持する支持ブラケットをさらに含む、ことを特徴とする。
【００１４】
本考案はまた、支持ブラケットに回転可能に取り付けられ、一連の受け部を含む補強ブラケットをさらに含む、ことを特徴とする。
【００１５】
本考案はまた、第１のトレイ部材は、補強ブラケットの受け部によって支持されて、第１のトレイ部材を補強ブラケットに取り付ける一連のポストを含む、ことを特徴とする。
【００１６】
本考案はまた、支持ブラケットは、第１のトレイ部材のタブを選択的に支持して、当該折り畳み式トレイアセンブリを収納位置に固定するロックポストを含む、ことを特徴とする。
【００１７】
適用可能なさらなる範囲は、本開示で提供される説明から明らかになるであろう。説明および具体例は例示の目的に過ぎず、本開示の範囲を限定することを意図したものではない。
【００１８】
添付図面も例示の目的に過ぎず、決して本開示の範囲を限定することを意図したものではない。
【考案の効果】
【００１９】
本考案によれば、折り畳み式トレイアセンブリは、少なくとも１つのタブを有する第１のトレイ部材と、少なくとも１つのスロットを有する第２のトレイ部材であって、少なくとも１つのスロットが少なくとも１つのタブを操作可能に係合支持して、第１のトレイ部材を当該第２のトレイ部材に固定する第２のトレイ部材と、トレイアセンブリ内に収容されて、第１のトレイ部材と第２のトレイ部材との間に位置するロック機構とを含むので、第１のトレイ部材の第２のトレイ部材への固定に、ねじ、ナットなどの他の部材を必要としない。また、ロック機構によって、トレイアセンブリの固定と移動とを切り替えることができ、しかも、ロック機構が、トレイアセンブリ内に収容されていて、外部に露出しないので、邪魔にならない。
【００２０】
また本考案によれば、トレイアセンブリ内に収容されて、第１のトレイ部材と第２のトレイ部材との間に位置し、ロック機構をロック状態とロック解除状態との間で切換えるために操作可能な駆動機構をさらに含むので、トレイアセンブリの固定と移動の切り替えを容易に行うことができる。
【考案を実施するための最良の形態】
【００２１】
以下の説明は、本質的に例示に過ぎず、本開示、またはその応用もしくは使用を限定することを意図したものではない。
【００２２】
図面に折り畳み式トレイアセンブリ１０を示す。折り畳み式トレイアセンブリ１０は、トレイ部材１２と、支持部材すなわち支持ブラケット１４と、駆動機構１５と、ロック機構１６とを含む。トレイ部材１２は支持ブラケット１４によって回動可能に支持され、駆動機構１５およびロック機構１６は、協働して、トレイ部材１２を支持ブラケット１４に、収納位置または使用位置のいずれか一方で選択的に固定（ロック）する。
【００２３】
トレイ部材１２は、カバー１８と、基体２０と、補強ブラケット２３とを含む。カバー１８は、上面２４と、上面から概ね垂直に延びる第１のフランジ２６とを含む。第１のフランジ２６は、基体２０との相互作用のための切り欠き３３を除き、概ねカバー１８の周囲を囲む。上面２４は、それから延びる中央の凹部２８と、複数の円筒状の凹部３０とを含む。カバー１８の中央の凹部２８および円筒状の凹部３０は、図１に最もよく見られるように、壁２９，３１を規定する。ここでは、中央の凹部２８および複数の円筒状の凹部３０を示すが、カバー１８に形成され、概ね上面２４から延びるどのような凹部も、本開示の範囲内である。折り畳み式トレイアセンブリ１０は、好ましくは、２００３年３月２５日出願の本開示譲受人の米国特許出願第１０／３９５，９７９号に示された形式のものであり、該出願は、２００２年１０月２１日出願の米国仮出願第６０／４２０，００４号に基づく優先権を主張しており、これらの出願の開示内容は参照によってここに組み込まれる。
【００２４】
使用に際し、中央の凹部２８および円筒状の凹部３０は、飲み物、サングラス（どちらも不図示）などの物品を、所有者がカバー１８の上面２４に収容するための受け皿を、中央の凹部２８および円筒状の凹部３０と上面２４との関係によって、提供する。具体的には、中央の凹部２８または円筒状の凹部３０のいずれかに載置された物品は、壁２９，３１によって、カバー１８の上面２４から滑り落ちるのが防止される。壁２９，３１は、上面２４に対する物品の相対的な移動を制限する働きをして、カバー１８から物品が滑り落ちるのを防止する。この目的のために、中央の凹部２８および円筒状の凹部３０に、ゴムの挿入物またははと目（いずれも不図示）を備えて、中央の凹部２８および円筒状の凹部３０に載置された物品をさらに安定させるようにしてもよい。
【００２５】
補強ブラケット２３は、基体２０に取り付け固定され、底面３４と、第２のフランジ２７と、ハンドル切り欠き４０とを含む。底面３４は、概ね補強ブラケット２３全体にわたり、強化リブ（不図示）と、図４において最もよく見られるように、一連の突起４２とを含んでもよい。突起４２は、底面３４から離れるように延びて、駆動機構１５とロック機構１６とを支持する。第２のフランジ２７は、同様に底面３４から離れるように延びて、底面３４の一部を一方向において取り囲む。
【００２６】
カバー１８は、基体２０を介して補強ブラケット２３に取り付け固定される。第１のフランジ２６は、カバー１８を基体２０に取り付け固定するために、カバー１８が基体２０に重なるように（すなわち、第２のフランジ２７に対する第１のフランジ２６の関係によって）、基体２０の第２のフランジ２７を一方向において取り囲んでもよい。カバー１８は、第１のフランジ２６の内面と第２のフランジ２７の外面との摩擦係合によって、基体２０に取り付け固定してもよく、エポキシ樹脂、接着剤などの適切な手段によって、補強してもよい。
【００２７】
一実施形態においては、カバー１８はプラスチック材料から成り、基体２０は鋼などの金属材料から成り、上述の取り付け方法によってカバー１８を基体２０に適切に固定する。カバー１８が鋼から成り、基体も同様に鋼から成る場合は、上述の方法に加えて、溶接によってカバー１８を基体２０に結合してもよい。上述のいずれの構成においても、機械的固定具を用いて基体２０とカバー１８を固定してもよい。
【００２８】
カバー１８を基体２０に取り付け固定する際には、両者の間に内部空間２１が形成される。内部空間２１は、駆動機構１５およびロック機構１６が、カバー１８と基体２０との間で、概ね内部空間２１内で自由に動作し得るように、設けられる。内部空間２１の概略的な形状および深さは、第１のフランジ２６と第２のフランジ２７の長さによって規定される。具体的には、組み立てられたとき第２のフランジ２７がカバー１８の底面に接触するため、第２のフランジ２７の長さが、基体２０の底面３４とカバー１８の上面２４との距離を概ね規定する。その際、カバー１８に対する第２のフランジ２７の関係が、内部空間２１の体積を概ね規定する。たとえば、第２のフランジ２７が底面３４から遠くに延びるほど、カバー１８と基体２０との間に、より大きな内部空間２１が形成される。
【００２９】
内部空間２１は、トレイアセンブリ１０の動作部品がトレイ部材１２内に収容されて、外部の可動リンクまたは支持部材がトレイ部材１２の外部に露出しないことを可能にする。ロック機構１６は、内部空間２１内に配置され、基体２０および／または補強ブラケット２３に設けられた隙間を介して、支持ブラケット１４と選択的に係合する。ロック機構１６は、概ね内部空間２１内に配置された駆動機構１５の動作を介して、ロック（固定）状態とロック解除状態との間で切り替えられる。したがって、駆動機構１５およびロック機構１６は、露出しない。さらに、トレイ部材１２は、剛性を有する補強ブラケット２３と支持ブラケット１４とによって協働して支持されるため、支持ブラケット１４からトレイ部材１２にわたって延びる外部の支持ブラケットは、必要でない。
【００３０】
駆動機構１５とロック機構１６とを内部空間２１内に収容し、さらに、剛性の補強ブラケット２３と支持ブラケット１４との相互作用を介してトレイ部材１２に支持を提供することによって、トレイ部材１２が使用位置にあるときに、外付けの支持部または連結部が見えなくなる。一般に、内部空間２１は、剛性を有する補強ブラケット２３との組合せによって、トレイ部材１２と支持ブラケット１４とを使用位置において略Ｌ字状として、トレイ部材１２の直下に開き空間を提供する（図２）。こうして、トレイ部材１２と支持部材１４との協働によって、トレイアセンブリ１０全体の外観が向上する。
【００３１】
支持ブラケット１４は、略平面の本体部５４と１対の側部支持部５６とを含む。平面本体部５４は、支持ブラケット１４を構造体に直接取り付けるか、あるいは、支持ブラケット１４を第２の装着ブラケット６０（図２および図３）に取り付けるための１対の固定具５９を支持する１対の取り付け開口５８を含む。第２の装着ブラケット６０は、折り畳み式トレイアセンブリ１０の特定の用途に適合させるために利用され、これにより、共通の支持ブラケット１４を複数の用途に利用できるようになる。具体的には、第２の装着ブラケット６０は、様々な位置に設けられた複数の異なる装着開口を提供することによって、折り畳み式トレイアセンブリ１０が取り付けられる様々な構造体に適合する。この目的のために、第２の装着ブラケット６０は、一般に、第２の装着ブラケット６０の異なる領域に設けられた複数の取り付け開口６１を有する。支持ブラケット１４は全用途にわたって共通としてよく、これによって、変更が必要なのは第２の装着ブラケット６０のみになって、設計および製造の経費が抑えられる。
【００３２】
側部支持部５６は、平面本体部５４から延び、第１の取り付け開口６２と第２の取り付け開口６４とを有する。第１の取り付け開口６２は、ロック機構１６との相互作用のための、先細りの表面を有するカラー部６６を有してもよい。第２の取り付け開口６４には、補強ブラケット２３を回動可能に取り付けるためのピン６５が挿入され、これによって、トレイ１２が支持部材１４に対してピン６５まわりに回転する。
【００３３】
特に図４〜図１０を参照すると、駆動機構１５は、駆動アーム１００と、駆動ケーブル１０２と、付勢部材１０４とを含む。駆動アーム１００は、補強ブラケット２３によって、概ね突起４２にて、回転可能に支持される。駆動アーム１００は、補強ブラケット２３に対して、突起４２まわりに回転することができる。駆動アーム１００は、レバーアーム１０６と、１対の溝１０８と、ケーブル座部１１０と、１対のカム面１１２とを含む。
【００３４】
駆動ケーブル１０２は、図４に最もよく示されているように、一端が駆動アーム１００のケーブル座部１１０に結合され、補強ブラケット２３によって、概ね突起４２にて、支持される。付勢部材１０４は、概ね補強ブラケット２３によって、突起１１４にて支持され、突起１１４は、ロック機構１６に対して付勢部材１０４を拘束し、位置決めする。
【００３５】
ロック機構１６は、第２のフランジ２７に形成された１対の開口１１８と駆動アーム１００の溝１０８とによって摺動可能に支持される、１対のロックピン１１６を有する。ロックピン１１６は、各ロックピン１１６の脚１２０が１対のカム面１１２と摺動係合するように、駆動アーム１００に対して位置決めされる。
【００３６】
ロックピン１１６は、第２のフランジ２７の開口１１８を通って延び、支持ブラケット１４の開口６２と選択的に係合して、トレイ部材１２を使用位置に固定する。各ロックピン１１６は、付勢部材１０４によって付勢されて、支持ブラケット１４の開口６２と係合する。
【００３７】
特に図４〜図１０を参照して、トレイアセンブリ１０の動作について詳細に説明する。トレイが使用位置にあるとき、図２に示すように、トレイ部材１２は、ロックピン１１６と開口６２との係合のため、支持ブラケット１４に対して回転しないように規制されている。トレイ部材１２を支持ブラケット１４に対して回転させるには、まず、ロックピン１１６を開口６２との係合から外さなければならない。
【００３８】
ロックピン１１６を支持ブラケット１４の開口６２との係合から外すためには、まず、概ね駆動ケーブル１０２に力を加えなければならない。駆動ケーブル１０２に加えるべき力は、駆動ハンドル１２２を介して、駆動ケーブル１０２に伝達させることができる。加えられた力は、ハンドル１２２をトレイ部材１２に対して回転させ、駆動ケーブル１０２に張力を加える。
【００３９】
駆動ハンドル１２２がトレイ部材１２に対して充分回転すると、加えられた力が駆動ケーブル１０２から駆動アーム１００に伝わる。この力は、駆動アーム１００を、補強ブラケット２３に対して、突起４２まわりに回転させる。駆動アーム１００が、補強ブラケット２３に対して回転すると、各ロックピン１１６の脚１２０が、駆動アーム１００のカム面１１２に沿って移動する。
【００４０】
駆動アーム１００のカム面１１２は、駆動アーム１００が回転したときに、各ロックピン１１６の脚１２０をカム面１１２の第１の端部からカム面１１２の第２の端部に移動させるように、設計されている。カム面１１２の第１の端部からカム面１１２の第２の端部への脚１２０の移動は、各ロックピン１１６を支持ブラケット１４の開口６２との係合から退避させる。
【００４１】
ロックピン１１６がトレイ部材１２の内部空間２１内に充分に入ると、支持ブラケット１４に対するトレイ部材１２の回転が可能になる。トレイ部材１２が使用位置から回転するにつれて、ロックピン１１６は開口６２に揃った位置から移動する。この時点で、駆動ハンドル１２２に加える力をなくしてもよい。駆動ハンドル１２２に加わる力がなくなると、付勢部材１０４が再び各ロックピン１１６を概ね開口６２に向けて付勢する。しかしながら、トレイ部材１２が支持ブラケット１４に対して充分回転しているため、ロックピン１１６は支持ブラケット１４の開口６２と係合することができない。
【００４２】
トレイ部材１２が使用位置から充分に回転して、トレイ部材１２が支持ブラケット１４に対して概ね平行になると、トレイ部材１２は収納位置に存在することになる。トレイ部材１２は、ロックピン１１６と支持ブラケット１４に形成された開口（不図示）との係合によって、収納位置に固定してもよい。あるいは、収納位置においては、トレイ部材１２を固定せず、支持部材１４の近傍に位置させるだけでもよい。その場合、トレイ部材１２を自由に回転させて使用位置に戻すことができる。
【００４３】
収納位置にてトレイ部材１２が固定される場合、トレイ部材１２を使用位置に戻す（つまり、トレイ部材１２を支持ブラケット１４に対して概ね垂直にする）には、もう一度駆動ハンドル１２２に力を加えなければならない。駆動ハンドル１２２が充分に回転すると、駆動ケーブル１０２は、付勢手段１０４によって加えられる付勢力に抗する力を、駆動アーム１００に加える。駆動アーム１００の回転は各ロックピン１１６の脚１２０を駆動アーム１００のカム面１１２に沿って移動させて、ロックピン１１６を支持ブラケット１４との係合から再び退避させる。
【００４４】
ロックピン１１６が支持ブラケット１４との係合から外れると、駆動ハンドル１２２に力を加えることをやめて、トレイ部材１２を支持ブラケット１４に対して回転させて使用位置に戻してもよい。トレイ部材１２が支持ブラケット１４に対して充分に回転して、トレイ部材１２が支持ブラケット１４に対して概ね垂直になると、ロックピン１１６は、付勢手段１０４によって加えられる力のために付勢されて、開口６２と係合する。
【００４５】
駆動ケーブル１０２と駆動アーム１００とロックピン１１６との関係のため、駆動ハンドル１２２に加えるべき力は、低減されかつ一定に保たれる。具体的には、駆動ハンドル１２２に最初に力が加えられるとき、付勢部材１０４の付勢力に抗するための力は、概ね最低レベルである。しかしながら、付勢部材１０４は、駆動ハンドル１２２がさらに回転するにつれて、一層圧縮されていく。付勢部材１０４の圧縮は、ロックピン１１６に一層の抵抗をもたらし、駆動ハンドル１２２の回転に必要な力を増大させる。圧縮された付勢部材１０４から加えられる追加の力は、概ねレバーアーム１０６と駆動ケーブル１０２との関係によって克服される。
【００４６】
たとえば、付勢部材１０４が駆動ハンドル１２２に、より大きな力を加え始めるとき、レバーアーム１０６が駆動アーム１００の回転軸から離れるように片持ち支持されるため、追加の力は克服される。換言すれば、レバーアーム１０６はモーメントアームとして働き、駆動アーム１００を回転させるために必要な力を低減する。
【００４７】
レバーアーム１０６が圧縮された付勢部材１０４に付随する力を充分に軽減することができない場合、カム面１２を、より緩和な傾斜を与えるように、設計し直してもよい。こうすることにより、カム面１１２の第１の端部と第２の端部との間でロックピン１１６を移動させるために必要な力が、低下する。レバーアーム１０６とカム面１１２との協働のため、一定のかつ一貫した力を駆動ハンドル１２２に加えて、ロックピン１１６を開口６２との係合から外すことができる。
【００４８】
図１１〜図１４を参照して、他の折り畳み式トレイアセンブリ１０ａについて説明する。折り畳み式トレイアセンブリ１０と折り畳み式トレイアセンブリ１０ａとで、構成要素の構造および機能は実質的に類似しているので、以下、図面において、同様の構成要素は同様の参照符号を用いて示し、変更された構成要素は拡張文字を含んだ同様の参照符号を用いて示す。
【００４９】
折り畳み式トレイアセンブリ１０ａは、駆動機構１５とロック機構１６とを含む。駆動機構１５は、ロック機構１６と共に、ロックピン１１６を支持ブラケット１４の開口６２との係合から選択的に外す。ロックピン１１６は、１対の付勢部材１０４ａによって付勢されて、支持ブラケット１４の開口６２と係合する。
【００５０】
付勢部材１０４ａは、概ねコイル状の本体部を有し、一端部にてロックピン１１６の脚１２０に固定され、第２の端部にて基体２０に固定される。付勢部材１０４ａはロックピン１１６を付勢して、支持ブラケット１４の開口６２と係合させる。
【００５１】
使用に際し、折り畳み式トレイアセンブリ１０ａは折り畳み式トレイアセンブリ１０と同様に機能する。折り畳み式トレイアセンブリ１０ａは、駆動ハンドル１２２に力を加えることによって、支持ブラケット１４との係合から外される。駆動ハンドル１２２が回転すると、駆動ケーブル１０２が張力を受けている状態になる。駆動ケーブル１０２が充分な張力を受けると、駆動アーム１００が、付勢部材１０４ａから加えられる力に抗して、補強ブラケット２３に対して回転し始める。
【００５２】
駆動アーム１００が充分に回転すると、ロックピン１１６の脚１２０が、カム面１１２の第１の端部からカム面１１２の第２の端部に移動して、ロックピン１１６はトレイ部材１２内に概ね入る位置に退避する。先に折り畳み式トレイアセンブリ１０について説明したように、このとき、トレイ部材１２を、支持ブラケット１４に対して、位置可変とすることができる。換言すれば、トレイ部材１２は支持ブラケット１４に対して回転自在で、使用位置から収納位置に動かすことが可能である。
【００５３】
トレイ部材１２を使用位置に戻すには、駆動ハンドル１２２に再び力を加えて、駆動ケーブル１０２が張力を受けている状態とする。駆動ケーブル１０２が充分な張力を受けると、駆動アーム１００が、付勢部材１０４ａから加えられる付勢力に抗して、補強ブラケット２３に対して回転する。駆動アーム１００が充分に回転すると、各ロックピン１１６の脚１２０が、カム面１１２の第２の端部からカム面１１２の第１の端部に移動し、ロックピン１１６は再び補強ブラケット２３の第２のフランジ２７から延び出す。
【００５４】
トレイ部材１２が収納位置から使用位置へと充分に回転すると、ロックピン１１６は、支持ブラケット１４の開口６２に係合して、トレイ部材１２を使用位置に固定し、支持ブラケット１４に対するトレイ部材１２のさらなる回転を防止することができる。上述のように、トレイ部材１２を、収納位置においてロックしないようにして、自由に回転させて使用位置に戻せるようにしてもよい。しかしながら、トレイ部材１２が収納位置においてロックされる場合は、トレイ部材１２を使用位置に戻す前に、まず駆動ハンドル１２２に力を加えなければならない。
【００５５】
特に図１５〜図１７を参照して、他の折り畳み式トレイアセンブリ１０ｂについて説明する。折り畳み式トレイアセンブリ１０と折り畳み式トレイアセンブリ１０ｂとで、構成要素の構造および機能は実質的に類似しているので、以下、図面において、同様の構成要素は同様の参照符号を用いて示し、変更された構成要素は拡張文字を含んだ同様の参照符号を用いてを示す。
【００５６】
折り畳み式トレイアセンブリ１０ｂは、駆動機構１５ｂと、ロック機構１６ｂとを含む。駆動機構１５ｂは、一般に、操作可能に駆動ケーブル１０２に結合された駆動ハンドル１２２を含む。ロック機構１６ｂは、補強ブラケット２３ｂによって摺動可能に支持されたロックプレート１２４を含む。ロックプレート１２４は、１対の付勢部材１０４ｂによって付勢されて、支持ブラケット１４と係合する。
【００５７】
使用に際して、ロック機構１６ｂは、使用位置および収納位置の一方において選択的に、トレイ部材１２ｂを保持する。使用位置においては、ロックプレート１２４は、概ねトレイ部材１２ｂから延出して、支持ブラケット１４に形成されたスロット１２６と係合する（図１５および図１６）。ロックプレート１２４とスロット１２６との係合は、支持ブラケット１４に対するトレイ部材１２ｂの回転を防止する。
【００５８】
トレイ部材１２ｂを支持ブラケット１４に対して回転させるには、駆動ハンドル１２２に力を加えて、駆動ケーブル１０２に張力を与える。駆動ケーブル１０２に充分な力が加わると、ロックプレート１２４は、付勢部材１０４ｂによって加えられる力に抗して、補強ブラケット２３ｂに対して平行移動する。ロックプレート１２４が補強ブラケット２３ｂに沿って充分に平行移動すると、ロックプレート１２４は支持部材１４のスロット１２６との係合から外れる。
【００５９】
ロックプレート１２４が支持部材１４のスロット１２６との係合から充分に外れると、支持ブラケット１４に対するトレイ部材１２ｂの回転が可能になる。この時点で、トレイ部材１２ｂは使用位置（すなわち、支持部材１４に対して概ね垂直な状態）から、収納位置（すなわち、支持部材１４に対して概ね平行な状態）に回転させることができる。
【００６０】
上述の折り畳み式トレイアセンブリ１０，１０ａ，１０ｂのいずれにおいても、各駆動機構１５，１５ｂおよび各ロック機構１６，１６ａ，１６ｂは、各トレイ部材１２，１２ｂ内に概ね収容されている。この点で、各トレイ部材１２，１２ｂの固定は、概ねトレイ部材１２，１２ｂ内に収容されている機構を介して達成されることになる。
【００６１】
図１８および図１９を参照して、折り畳み式トレイアセンブリ２１０について説明する。折り畳み式トレイアセンブリ２１０は、トレイ部材２１２と、支持部材すなわち支持ブラケット２１４と、駆動機構２１５と、ロック機構２１６とを含む。支持部材２１４は、トレイ部材２１２を、使用位置と収納位置との間で回動可能に支持する。駆動機構２１５とロック機構２１６は、協働して、使用位置または収納位置の一方で選択的に、トレイ部材２１２を支持部材２１４に対して固定する。トレイアセンブリ２１０は、好ましくは、譲受人の共有する米国特許第６，８７７，８０６号、譲受人の共有する２００５年２月１８日に出願された米国特許出願第１１／０６２，３２７号、および、譲受人の共有する２００５年３月１１日に出願された米国仮特許出願第６０／６６１，３１７号に開示されている形式のものであり、これらの開示内容は、参照によって本開示に取り込まれる。
【００６２】
トレイ部材２１２は、第１のトレイ部材（上部トレイ部材）２１８と、第２のトレイ部材（下部トレイ部材）２２０とを含む。第１のトレイ部材２１８は、一連のスロット２２４を含み、一方、第２のトレイ部材２２０は、第１のトレイ部材２１８のスロット２２４に嵌合する一連のタブ２２２を含む。第１のトレイ部材２１８のスロット２２４と第２のトレイ部材２２０のタブ２２２との係合によって、第１のトレイ部材２１８は第２のトレイ部材２２０に固定される（図２０〜図２２）。このような構成では、第１のトレイ部材２１８と第２のトレイ部材２２０とがスナップ嵌め（ｓｎａｐ−ｆｉｔ）される結果となり、したがって、ねじ、ボルト、ナット、クリップなどの個別の機械的固定具が不要になる。
【００６３】
なお、ここでは、第１のトレイ部材２１８がスロット２２４を含み、第２のトレイ部材２２０がタブ２２２を含む構成としているが、逆に、第１のトレイ部材２１８がタブ２２２を含み、第２のトレイ部材２２０がスロット２２４を含む構成としてもよい。さらに、第１のトレイ部材２１８と第２のトレイ部材２２０が、各々、少なくとも１つのタブ２２２と、少なくとも１つのスロット２２４とを含むようにすることも可能である。
【００６４】
特に図２３〜図２８を参照すると、駆動機構２１５は、概ね第１のトレイ部材２１８と第２のトレイ部材２２０との間で回転可能に支持された駆動ハンドル２２６を含む。駆動ハンドル２２６は、第２のトレイ部材２２０にスナップ嵌めされ、したがって、駆動ハンドル２２６をトレイ部材２２０に回転可能に取り付けるための、個別の機械的固定具は不要である。駆動ハンドル２２６は、ロック機構１６をロック（固定）状態とロック解除状態との間で切り替える際に使用されるケーブル２２８に連結される。
【００６５】
第２のトレイ部材２２０は、駆動ハンドル２２６に嵌合する凹部２５０を含む。凹部２５０は、１対のスロット２５４を規定する略Ｕ字状の１対のアーム２５２を含む。さらに、凹部２５０は、駆動ハンドル２２６が凹部２５０に嵌ってそこで固定されるのを可能にする１対の切り欠き２５６を含む。
【００６６】
駆動ハンドル２２６が第２のトレイ部材２２０に挿入されるとき、駆動ハンドル２２６に設けられた１対のポスト２５８が、切り欠き２５６に支持され、また、概ねスロット２５４にスナップ嵌めされる。駆動ハンドル２２６のポスト２５８は、スロット２５４に支持されることに加えて、凹部２５０に隣接して形成された１対の切り込み２６０に同様にスナップ嵌めされる。切り込み２６０は、概ね、スロット２５４の開口部に対して反対の方向に開いている。したがって、駆動ハンドル２２６のポスト２５８がアーム２５２のスロット２５４内および切り込み２６０内で支持されるとき、ポスト２５８は本質的に、スロット２５４と切り込み２６０との間に捕えられる。スロット２５４と切り込み２６０との協働によって、駆動ハンドル２２６が第２のトレイ部材２２０から外れることが防止され、同時に、駆動ハンドル２２６が第２のトレイ部材２２０に対してポスト２５８まわりに回転することが可能になる。
【００６７】
上述のように、駆動ハンドル２２６は、第２のトレイ部材２２０によって回転可能に支持され、概ね、凹部２５０内に入る。第２のトレイ部材２２０に結合され、非駆動位置にある駆動ハンドル２２６を、図２８に示す。駆動ハンドル２２６が駆動されるときには、駆動ハンドル２２６に力が加えられ、これによって、駆動ハンドル２２６がポスト２５８まわりに、第２のトレイ部材２２０に対して回転する。駆動ハンドル２２６が第２のトレイ部材２２０に対して回転すると、駆動ハンドル２２６の表面２６２は、第２のトレイ部材２２０の表面２６４と実質的に同一平面となる位置をとる。したがって、駆動ハンドル２２６が非駆動状態から駆動状態に切り替えられるとき、ハンドル２２６は、第２のトレイ部材２２０の表面２６４から出ず、むしろ、押し込まれて、概ね第１のトレイ部材２１８と第２のトレイ部材２２０との間に規定される領域内にまで達する。
【００６８】
図２９〜図３３に示すように、第２のトレイ部材２２０を支持部材２１４に回動可能に取り付けるために、補強ブラケット２３８を第２のトレイ部材２２０に取り付けてもよい。個別の機械的固定具を用いることなく、補強ブラケット２３８を第２のトレイ部材２２０に取り付け固定するために、補強ブラケット２３８は、一連の受け部２３０と一連の取り付け開口２３２とを含んでいる。ここでは、補強ブラケット２３８を第２のトレイ部材２２０に取り付ける構成としているが、補強ブラケット２３８は、さらに、あるいは逆に、第１のトレイ部材２１８に取り付けることも可能である。
【００６９】
第２のトレイ部材２２０は、受け部２３０によって摺動可能に支持される一連のポスト２３４と、取り付け開口２３２に係合支持される一連の突起２３６とを含んでもよい。なお、補強ブラケット２３８が一連の受け部２３０と取り付け開口２３２とを含み、第２のトレイ部材２２０が一連のポスト２３４と突起２３６とを含む構成を示したが、逆に、補強ブラケット２３８がポスト２３４と突起２３６とを含み、第２のトレイ部材２２０が受け部２３０と開口２３２とを含むようにしてもよい。さらに、補強ブラケット２３８と第２のトレイ部材２２０は、各々、個別の機械的固定具を使用する必要なく補強ブラケット２３８を第２のトレイ部材２２０に取り付けることを可能にする、受け部２３０、開口２３２、ポスト２３４および突起２３６のどのような組合せを含んでもよい。
【００７０】
ポスト２３４と受け部２３０とが係合することにより、第２のトレイ部材２２０が補強ブラケット２３０に取り付け固定される。突起２３６と開口２３２とが係合することにより、第２のトレイ部材２２０が補強ブラケット２３８にさらに強固に取り付けられて、両者の相対的な回転が防止される。ポスト２３４と受け部２３０および突起２３６と開口２３２との摺動係合によって、個別の機械的固定具を用いることなく、第２のトレイ部材２２０を支持部材２１４に（つまり、補強ブラケット２３８を介して）回転可能に取り付けることが可能になる。あるいは、第２のトレイ部材２２０を、機械的固定具を用いて、補強ブラケット２３８に取り付けてもよいし、第２のトレイ部材２２０を直接支持部材２１４に回転可能に取り付けてもよい。
【００７１】
特に図３４〜図３６を参照すると、トレイアセンブリ２１０は、支持部材２１４に設けられたロックポスト２６４を含む。ロックポスト２６４は上方に延びる１対のアーム２６６を含み、これらのアーム２６６は間に凹部２６８を規定する。各アーム２６６は概ね凹部２６８内に延びるタブ２７０を含む。タブ２７０は、設計位置へとタブ２７０を付勢するばね様の特性を有する材料で作製するのが好ましい。このような材料は、タブ２７０が、加わる力によって撓んだ後に、設計位置に戻ることを可能にする。
【００７２】
使用に際して、第２のトレイ部材２２０が使用位置から収納位置へと動かされると、第２のトレイ部材２２０に設けられたポスト２７２が、支持部材２１４のロックポスト２６４に対して、第２のトレイ部材２２０が収納位置に移動したときにポスト２７２がロックポスト２６４の凹部２６８内で支持されるように、位置付けられる。ポスト２７２はタブ２７０と係合して、タブ２７０を凹部２６８から遠ざかるように拡張させる。タブ２７０は、ばね様の材料で形成されているから、加わる圧力の下で、破損することなく撓み得る。
【００７３】
第２のトレイ部材２２０が収納位置に充分に移動すると、第２のトレイ部材２２０のポスト２７２は凹部２６８内に充分に入って、タブ２７０が設計位置に弾発的に復元してポスト２７２をロックポスト２６４の凹部２６８内に捕えるのを可能にする。この状態では、ポスト２７２とロックポスト２６４のタブ２７０との相互作用によって、トレイアセンブリ２１０が収納位置に保たれる。
【００７４】
トレイアセンブリ２１０を使用位置に戻すには、概ねトレイアセンブリ２１０に力を加えて、第２のトレイ部材２２０を支持部材２１４に対して回転させる。トレイアセンブリ２１０に力が加わると、その力は、概ね第２のトレイ部材２２０に、したがってポスト２７２に伝わる。第２のトレイ部材２２０に充分な力が加わると、タブ２７０を概ね凹部２６８から遠ざけるに足る力が、第２のトレイ部材２２０のポスト２７２からタブ２７０に加わる。タブ２７０の移動によって凹部２６８の開口が充分に開くと、第２のトレイ部材２２０のポスト２７２は、凹部２６８を概ね通りタブ２７０を越えて移動し得るようになる。ポスト２７２がタブ２７０を越えると、ポスト２７２は自由に凹部２６８から出て、ロックポスト２６４との係合が完全に外れる。ポスト２７２がロックポスト２６４の凹部２６８との係合から完全に外れると、第２のトレイ部材２２０は、支持部材２１４から離れて使用位置へと回転することができる。
【００７５】
図３７および図３８に示すように、トレイアセンブリ２１０は、上部トレイ部材２１８と下部トレイ部材２２０とから延びる一連のＵ字状のアーム２７４を含む。Ｕ字状アーム２７４は、各々、可動部材２８０の少なくとも１つのポスト２７８を回転可能に支持する凹部２７６を含む。可動部材２８０は、図１８において、収納容器またはカップホルダなどの一連の受け部２８２を選択的に隠すための、トレイアセンブリ２１０に回転可能に取り付けられたカバーとして、示されている。
【００７６】
可動部材２８０は、ポスト２７８によって、トレイアセンブリ２１０に対して回転可能に支持される。ポスト２７８は、概ねＵ字状アーム２７４の凹部２７６内で、係合支持される。Ｕ字状アーム２７４はプラスチックなどのばね様の材料で作製されており、ポスト２７８が凹部２７６に挿入されると、Ｕ字状アーム２７４が一時的に拡張して、ポスト２７８が凹部２７６内に入り得る。
【００７７】
ポスト２７８が完全に凹部２７６に入ると、Ｕ字状アーム２７４は設計位置に弾発的に復元して、ポスト２７８が凹部２７６から外れるのを防止する。この点に関し、可動部材２８０のポスト２７８は、本質的にＵ字状アーム２７４の凹部２７６にスナップ嵌めされ、トレイアセンブリ２１０に対する、可動部材２８０の概ねポスト２７８まわりの回転を可能にする。
【００７８】
本考案のトレイアセンブリ２１０は、第１のトレイ部材２１８を第２のトレイ部材２２０に取り付けるために協働する、一体的に形成されたタブ２２２とスロット２２４とを組み込んだ「ファスナレス」デザインを提供する。さらに、第２のトレイ部材２２０は、上述のように、受け部２３０、開口２３２、ポスト２３４および突起２３６を用いて、補強ブラケット２３８に取り付けることが可能であり、これによって、トレイアセンブリ２１０と支持部材２１４との間の個別の機械的固定具が排除される。
【００７９】
本考案の記述は本質的に例示に過ぎず、したがって、本考案の主旨から逸脱しない変更は、本考案の範囲に含まれると意図されている。そのような変更は本考案の精神および範囲からの逸脱とみなすべきではない。
【図面の簡単な説明】
【００８０】
【図１】本開示に従う折り畳み式トレイアセンブリの斜視図である。
【図２】図１のトレイアセンブリの使用位置における側面図である。
【図３】図１のトレイアセンブリの収納位置における側面図である。
【図４】本開示の理念に従うトレイアセンブリの斜視図であり、駆動ロック機構を示すためにハウジングの一部を除いている。
【図５】図４の駆動ロック機構のロック位置における斜視図である。
【図６】図４のトレイアセンブリの分解図である。
【図７】図４のトレイアセンブリの上面図であり、ロック位置における駆動ロック機構を示す。
【図８】図４の駆動ロック機構の一部の詳細斜視図である。
【図９】図４の駆動機構の斜視図である。
【図１０】図４の駆動ロック機構のロック解除位置における斜視図である。
【図１１】本開示の理念に従う他のトレイアセンブリの斜視図である。
【図１２】図１１のトレイアセンブリの分解図である。
【図１３】図１１のトレイアセンブリの斜視図であり、ロック位置におけるロック機構および駆動機構を示す。
【図１４】図１１のトレイアセンブリの斜視図であり、ロック解除位置における駆動機構およびロック機構を示す。
【図１５】本開示の理念に従う他のトレイアセンブリの使用位置における斜視図である。
【図１６】図１５のトレイアセンブリの端面図であり、駆動機構およびロック機構を示す。
【図１７】図１５のトレイアセンブリの平面図であり、駆動機構およびロック機構を示すためにハウジングの一部を除いている。
【図１８】本開示に従う他の折り畳み式トレイアセンブリの斜視図である。
【図１９】図１８のトレイアセンブリの分解図である。
【図２０】一体形成された一連の取り付けタブを有するトレイ部材を示す斜視図である。
【００８１】
【図２１】図２０の取り付けタブを支持する一連のスロットを有するトレイ部材の斜視図である。
【図２２】第１のトレイ部材を第２のトレイ部材に固定するために、第２のトレイ部材のスロットに取り付けられた第１のトレイ部材のタブの斜視図である。
【図２３】トレイ部材の内部に配設された駆動ハンドル、および、駆動ハンドルに取り付けられ、トレイ部材のリブによって支持される解放ケーブルの斜視図である。
【図２４】図２３の駆動ハンドル取り付け位置の上面図である。
【図２５】トレイ部材の斜視図であり、駆動ハンドル取り付け位置の詳細を示す。
【図２６】図２３の駆動ハンドル取り付け位置の斜視図であり、そこに組み込まれた駆動ハンドルを示す。
【図２７】図１８のトレイアセンブリの駆動ハンドルの斜視図である。
【図２８】トレイ部材に取り付けられた駆動ハンドルの斜視図である。
【図２９】図１８のトレイアセンブリの補強ブラケットおよびトレイ部材の一部の分解図であり、トレイ部材を支持して図１８のトレイアセンブリを補強ブラケットに選択的に固定する一連の受け具を詳細に示す。
【図３０】図２９の補強ブラケットを組み込んだ図１８のトレイアセンブリのトレイ部材の上面斜視図である。
【図３１】図２９の補強ブラケットを組み込んだ図１８のトレイアセンブリのトレイ部材の底面斜視図である。
【図３２】図３０のアセンブリの線Ａ−Ａでの断面図である。
【図３３】図３０のアセンブリの線Ｂ−Ｂでの断面図である。
【図３４】支持プレートの斜視図であり、収納位置における図１８のトレイアセンブリを選択的に保持するロックポストを詳細に示す。
【図３５】内部にトレイ部材の一部が入った図３４のロックポストの斜視図である。
【図３６】内部にトレイ部材の一部が入った図３４のロックポストの断面図である。
【図３７】図１８のトレイアセンブリの上部トレイ部材の斜視図であり、収容器の内周に形成され、下部トレイ部材の取り付けタブと嵌合する一連の取り付けスロットを詳細に示す。
【図３８】図１８のトレイアセンブリの図１８の線Ｃ−Ｃでの断面図であり、第１および第２の格納区画ドアの図１８のトレイアセンブリへの取り付けを詳細に示す。
【符号の説明】
【００８２】
１０，１０ａ，１０ｂ  折り畳み式トレイアセンブリ
１２，１２ｂ  トレイ部材
１４  支持ブラケット（支持部材）
１５，１５ｂ  駆動機構
１６，１６ｂ  ロック機構
１８  カバー
２０  基体
２１  内部空間
２３，２３ｂ  補強ブラケット
２６  第１のフランジ
２７  第２のフランジ
４２  突起
６０  第２の装着ブラケット
６２  第１の取り付け開口
６４  第２の取り付け開口
６５  ピン
１００  駆動アーム
１０２  駆動ケーブル
１０４，１０４ａ，１０４ｂ  付勢部材
１０６  レバーアーム
１０８  溝
１１０  ケーブル座部
１１２  カム面
１１４  突起
１１６  ロックピン
１１８  開口
１２０  ピン脚
１２２  駆動ハンドル
１２４  ロックプレート
１２６  スロット
２１０  折り畳み式トレイアセンブリ
２１２  トレイ部材
２１４  支持ブラケット（支持部材）
２１５  駆動機構
２１６  ロック機構
２１８  第１のトレイ部材（上部トレイ部材）
２２０  第２のトレイ部材（下部トレイ部材）
２２２  タブ
２２４  スロット
２２６  駆動ハンドル
２２８  ケーブル
２３８  補強ブラケット
【図１】
0003130141.tif 000003
【図２】
0003130141.tif 000004
【図３】
0003130141.tif 000005
【図４】
0003130141.tif 000006
【図５】
0003130141.tif 000007
【図６】
0003130141.tif 000008
【図７】
0003130141.tif 000009
【図８】
0003130141.tif 000010
【図９】
0003130141.tif 000011
【図１０】
0003130141.tif 000012
【図１１】
0003130141.tif 000013
【図１２】
0003130141.tif 000014
【図１３】
0003130141.tif 000015
【図１４】
0003130141.tif 000016
【図１５】
0003130141.tif 000017
【図１６】
0003130141.tif 000018
【図１７】
0003130141.tif 000019
【図１８】
0003130141.tif 000020
【図１９】
0003130141.tif 000021
【図２０】
0003130141.tif 000022
【図２１】
0003130141.tif 000023
【図２２】
0003130141.tif 000024
【図２３】
0003130141.tif 000025
【図２４】
0003130141.tif 000026
【図２５】
0003130141.tif 000027
【図２６】
0003130141.tif 000028
【図２７】
0003130141.tif 000029
【図２８】
0003130141.tif 000030
【図２９】
0003130141.tif 000031
【図３０】
0003130141.tif 000032
【図３１】
0003130141.tif 000033
【図３２】
0003130141.tif 000034
【図３３】
0003130141.tif 000035
【図３４】
0003130141.tif 000036
【図３５】
0003130141.tif 000037
【図３６】
0003130141.tif 000038
【図３７】
0003130141.tif 000039
【図３８】
0003130141.tif 000040